(57)【特許請求の範囲】
【請求項１】
壁の外壁材と内壁材の空間に設ける全体を柔軟性と弾力性を有する合成樹脂製で形成したスイッチ又はコンセントボックス用のボックス状の気密カバーであって、
室内側に開いた前記内壁材のスイッチ又はコンセントボックス取り付け用の開口孔より小径とした開口部の外周面に、前記内壁材のスイッチ又はコンセントボックス取り付け用の開口孔より大きな外周径を有する大きさの異なった大小二重のフランジを有し、該フランジのうち小さいフランジは開口部位に形成し、大きいフランジは前記小さいフランジから前記内壁材の厚さ分の間隔を置いた部位に形成し、
前記内壁材の開口孔に装着した際、小さいフランジは前記内壁材の室内側の表面に且つ大きいフランジは前記内壁材の壁内側の表面又は該表面に張られた気密シートに夫々密着可能となるようにカバー全体を一体形成したことを特徴とする気密カバー。
【請求項２】
電線コードを挿通させた状態で、壁の外部に導くために可能な長さの柔軟性と弾力性を有する合成樹脂製のホースを、カバー部分の外面に一体的に形成したことを特徴とする請求項１に記載の気密カバー。
【発明の詳細な説明】
【技術分野】
【０００１】
本発明は、木造住宅等の間隔を有する外壁材と内壁材とか成る中空壁などの壁にスイッチ又はコンセントボックス等を取り付ける際に開口される開口孔に対して外壁材と内壁材との間の気密性を維持させるために装着されるスイッチ又はコンセントボックス用の気密カバーである
【背景技術】
【０００２】木造住宅の壁を外壁材と内壁材とに間隔を設けて二重にし、外壁側や内壁側に断熱材を配したり、気密シートで建物全体を覆うことにより気密断熱性能を高める住宅が、省エネルギー住宅として多く建築されている。このような気密壁を備えた住宅では、新たにコンセントやスイッチボックス等を設置する場合、内壁材を開口し、それらを設置するのであるが、その設置された孔から壁内の空間に外気や湿気が侵入し、冷暖房の効率が低下したり、壁内の結露を発生させ、構造材を腐食し、住宅の価値そのものを低下させるの恐れがある。従来は、開口された孔に、コンセントボックス等を設置し、その後、防気、防塵カバーといわれる部品を設置しているのみであった。これらは、内壁材にフランジ部をビスにて固定するのみで、気密シート部の隙間を塞いでいない。さらに、防気、防塵カバーからは電線が布設されるが、なんらの気密処置がとられていない。配線部分については、発泡ウレタンをスプレー缶より噴射し、配線の孔を塞ぐ方法がとられているが、発泡ウレタンは、噴射時に孔より、はみ出してしまうことが多く、施工の仕上がりが綺麗でない。そもそも、発泡ウレタンは気密性能を保持するためのものではなく断熱材として、若しくは、断熱材の補強を目的として作られたものであるから、気密性能を向上させることはできない。また、発泡ウレタンを施工した配線等を再工事する場合は、発泡ウレタンを撤去しなければならないが、撤去工事に非常に手間がかかってしまい、コスト高となってしまう。
【発明の開示】
【発明が解決しようとする課題】
【０００３】省エネルギー住宅は、断熱性能と気密性能によって評価されるのであるが、コンセントボックス等の設置によって、住宅に設置された気密シートが開口され、気密性能を著しく低下させてしまう。外気や湿気が侵入しないよう、防気、防塵カバー等が使用されているが、気密シートの開口部に関してはなんらの対策ができていない状況である。気密シートの開口部からの外気湿気の侵入、さらには、コンセントボックス等から配線される電線に関しても、配線の孔から外気、湿気を室内や壁内に侵入させてしまい住宅の気密性能を著しく低下させてしまうが、それらの問題を解決しなければならない。
【課題を解決するための手段】
【０００４】
以上の課題を解決するために、本発明は、壁の外壁材と内壁材の空間に設ける全体を柔軟性と弾力性を有する合成樹脂製で形成したスイッチ又はコンセントボックス用のボックス状の気密カバーであって、室内側に開いた前記内壁材のスイッチ又はコンセントボックス取り付け用の開口孔より小径とした開口部の外周面に、前記内壁材のスイッチ又はコンセントボックス取り付け用の開口孔より大きな外周径を有する大きさの異なった大小二重のフランジを有し、該フランジのうち小さいフランジは開口部位に形成し、大きいフランジは前記小さいフランジから前記内壁材の厚さ分の間隔を置いた部位に形成し、前記内壁材の開口孔に装着したとき、小さいフランジは前記内壁材の室内側の表面に且つ大きいフランジは前記内壁材の壁内側の表面又は該表面に張られた気密シートに夫々密着可能となるようにカバー全体を一体形成したことを特徴とする。
請求項２に記載の発明は、上記発明において、電線コードを挿通させた状態で、壁の外部に導くために可能な長さの柔軟性と弾力性を有する合成樹脂製のホースを、カバー部分の外面に一体的に形成したことを特徴とする。
【０００５】
（発明を実施するための最良の形態）
次に本発明の実施の形態を説明する。
本発明は、図３に示すように、壁の外壁材と内壁材の空間に設けるスイッチ又はコンセントボックス用のボックス状の気密カバー３である。
該カバー３の全体は、前記内壁材のスイッチ又はコンセントボックス取り付け用の開口孔に対して、フランジ１、２が差込可能となるように小さく変形可能とあって、しかも、元の形に復元可能な程度の柔軟性と弾力性を有する合成樹脂製で一体形成する。
図３は、内壁材の石膏ボード等の壁内側に気密シートが張設された態様を示している。
本発明のカバ―３は、この図３に示すように、室内側に開いた前記内壁材のスイッチ又はコンセントボックス取り付け用の開口孔より小径とした開口部の外周面に、前記内壁材のスイッチ又はコンセントボックス取り付け用の開口孔より大きな外周径を有する大きさの異なった大小二重のフランジ１、２を有する。
そのフランジのうち小さいフランジ１は、図１及び図２に示すように、開口周囲に形成し、大きいフランジ２は前記小さいフランジ１から前記内壁材の厚さ分の間隔を置いた部位に形成する。
そして、前記内壁材の開口孔に本発明のカバ―３を装着したとき、図３に示すように、小さいフランジ１は前記内壁材の室内側の表面に密着可能に且つ大きいフランジ２は前記内壁材の壁内側の表面に張られた気密シートに密着可能となるようにカバー全体を一体形成する。
又、電線コードを挿通させた状態で、図３に示すように、壁の外部に電線コードを導くために可能な長さの柔軟性と弾力性を有する合成樹脂製のホース４を、金型で成形時にカバー部分の外面に一体的に形成する。
【発明の効果】
【０００６】本発明を使用することにより、スイッチ・コンセントボックス等を設置する際には、その柔軟性により壁内に容易に挿入でき楽に施工できる。更に、２つのフランジにより、室内壁と、壁内の気密シートを圧着させ完全に気密を保持することができる。また、ボックスと一体となったホースに電線等を配線することにより、配線用の孔からの外気、湿気侵入を防止できる。【０００７】従来の技術では、気密を保持するためには、専用の気密スイッチ・コンセントプレートを使用しなければならないが、フランジ部を二重構造とし、さらに配線用ホースのある全体が、柔軟性と弾力性を有する合成樹脂で一体形成した本発明によれば、従来からの既存のスイッチ・コンセントプレートを使用できるため、施工に関してもコスト高とならない。
【図面の簡単な説明】
【０００８】
【図１】本発明の斜視図
【図２】本発明の側面図
【図３】本発明の施工図
【符号の説明】
【０００９】
１    小さいフランジ
２    大きいフランジ
３    気密カバー
４    ホース
【図１】
0005016357.tif 000002
【図２】
0005016357.tif 000003
【図３】
0005016357.tif 000004